(57)【特許請求の範囲】
【請求項１】
表面に冷暖房手段を組み付けると共にこの表面全体に放熱シートを粘着して成るマット本体と、前記マット本体の放熱シートの表面全体に粘着された剥離シートと、この剥離シートの上面にストライプ状又は平行斜線状又は格子状又はクロス状に粘着された剥離テープと、この剥離テープ上に接着される下面に緩衝材層が形成されたフローリング床材と、から成るフローリング床材の下に施工される冷暖房装置。
【請求項２】
請求項１に記載の冷暖房装置とは、温水が循環する放熱パイプ又は電熱ヒータを用いた床暖房又は冷媒が循環する放熱パイプをマット本体に組み付けた床冷房装置であることを特徴とするフローリング床材の下に施工される冷暖房装置。
【請求項３】
請求項１又は２に記載の冷暖房装置が施工された部屋において、そのフローリング床材を貼り替える際は、先ずフローリング床材に対してその表面から小区画となるように任意の切り込み溝を形成し、その上でフローリング床材に力をかけて前記切り込み溝により形成された小区画ごとにフローリング床材を剥離テープから剥がし取り、次に剥離シートの表面に残った剥離テープを剥がして除去し、次に新規に剥離シートの上面に剥離テープを粘着し、その上で新規にフローリング床材を前記剥離テープ上に接着することにより行う冷暖房装置が施工された部屋におけるフローリング床材の貼り替え方法。
【発明の詳細な説明】
【技術分野】
【０００１】
本発明は、フローリング床材の下に施工される冷暖房装置であって、前記フローリング床材を支持するための小根太を入れていない所謂ネダレスタイプと称される冷暖房装置と、この冷暖房装置が施工された部屋における前記フローリング床材の貼り替え方法に関する。
【背景技術】
【０００２】
ネダレスタイプの温水マットが施工された部屋において、フローリング床材のみを貼り替え、温水マットはそのまま残して再使用する方式の温水マット及びフローリング床材の貼り替え方法として、本件出願人は、特開２００８−１８５２４４号公報に掲載された温水マットとフローリング床材の貼り替え方法を提案している。
【０００３】
この提案の温水マットは、マット本体の表面に形成した溝内に放熱用の温水パイプを配管すると共に、この温水パイプを含むマット本体の表面に放熱シートを貼り合わせ、更に、この放熱シートの表面に剥離層を形成した温水マットから成り、施工現場においてフローリング床材の裏面に接着剤を塗布してこれを前記剥離層の表面に貼り付ける内容である。
【０００４】
また、前記温水マットを施工した部屋において、フローリング床材を貼り替える場合には、フローリング床材を温水マット側の剥離層の表面で剥がしとり、次に、新規のフローリング床材の裏面に接着剤を塗布し、これを剥がしとった後の剥離層の表面に貼り付ける内容である。
【先行技術文献】
【特許文献】
【０００５】
【特許文献１】特開２００８−１８５２４４号公報
【発明の概要】
【発明が解決しようとする課題】
【０００６】
しかし、上記温水マット側の剥離層に直接フローリング床材を貼り付ける方式で施工した場合、長年の利用により特にフローリング床材の下面に緩衝材層が形成されている場合、フローリング床材が部分的に浮き上がったり、ズレたりすることがある。
【０００７】
また、この浮き上がりやズレを防ぐためにフローリング床材を剥離層に対して強力に接着してしまうと、貼り替え時に旧いフローリング床材を剥がし取るのに大きな力が必要となり、また、温水マット側を損傷したり、剥離層までもフローリング床材と一緒に剥がしてしまうと云った欠点がある。
【０００８】
本発明は、叙上の如き課題の存在に鑑みて提供されるものであって、その目的は、フローリング床材の下に施工される冷暖房装置において、経年的にフローリング床材が浮き上がったり、ズレたりすることがないと共にフローリング床材の貼り替えに際し、旧いフローリング床材を簡単に剥がし取ることができると共に、この剥がし取りに際して冷暖房装置側を損傷しない前記冷暖房装置が施工された部屋におけるフローリング床材の貼り替え方法を提供することである。
【課題を解決するための手段】
【０００９】
上記課題を解決するため、請求項１に記載の冷暖房装置は、表面に冷暖房手段を組み付けると共にこの表面全体に放熱シートを粘着して成るマット本体と、前記マット本体の放熱シートの表面全体に粘着された剥離シートと、この剥離シートの上面にストライプ状又は平行斜線状又は格子状又はクロス状に粘着された剥離テープと、この剥離テープ上に接着される下面に緩衝材層が形成されたフローリング床材と、から成ることを特徴とするものである。
【００１０】
この発明によると、フローリング床材を直接剥離シートの表面に接着せず、剥離テープを利用しているため、フローリング床材の接着強度を十分に確保して経年的にフローリング床材が浮き上がったり、ズレたりするのを防ぐ事ができると共にフローリング床材の貼り替えに際し、旧いフローリング床材を剥離シート上から簡単に剥し取ることができる。また、剥離テープを間隔を空けて剥離シートの表面に貼り付けているため、剥離シート及びフローリング床材の裏面に形成した緩衝材層の表面に凹凸があっても、全体的には良くフィットさせることができる。
【００１１】
次に、請求項２に記載の冷暖房装置は、請求項１に記載の冷暖房装置において、温水が循環する放熱パイプ又は電熱ヒータを用いた床暖房又は冷媒が循環する放熱パイプをマット本体に組み付けた床冷房装置であることを特徴とするものである。
【００１２】
この発明によると、温水式又は電熱式の床暖房装置あるいは冷媒を用いた床冷房装置に本発明を適用できる。
【００１３】
次に、請求項３に記載のフローリング床材の貼り替え方法は、請求項１又は２に記載の冷暖房装置が施工された部屋において、先ずフローリング床材に対してその表面から小区画となるように任意の切り込み溝を形成し、その上でフローリング床材に力をかけて前記切り込み溝により形成された小区画ごとにフローリング床材を剥離テープから剥がし取り、次に剥離シートの表面に残った剥離テープを剥がして除去し、次に新規に剥離シートの上面に剥離テープを粘着し、その上で新規にフローリング床材を前記剥離テープ上に接着することを特徴とするものである。
【００１４】
この発明によると、フローリング床材の貼り替え時に旧いフローリング床材を切り込み溝で形成された小区画で剥がし取ることができるため、剥がし取るときの１枚の大きさは小さくなることから、この分剥がし取る力は小さくて済み、作業性が向上すると共に冷暖房装置側に傷をつけたりする心配がない。
【本発明の効果】
【００１５】
本発明は以上のとおり、剥離シートの表面に剥離テープを例えばストライプ状に貼り付け、この上にフローリング床材を貼り付けるようにしたため、フローリング床材の貼り付けを確実に行うことができる。また、経年的にフローリング床材が浮き上がったり、ズレたりしたためにフローリング床材の貼り替えが必要となった際は、フローリング床材をカットして小区画に区分けしてからこの小区画ごとに剥がして取るようにしたため、小さな力で剥がし取りを行うことができると共に剥がし取りに際して、冷暖房装置側に傷をつけたりすることもなく、また作業性が向上するという結果がある。
【図面の簡単な説明】
【００１６】
【図１】本発明を実施した温水マットの平面図である。
【図２】Ａ−Ａ´線拡大断面図である。
【図３】（Ａ）（Ｂ）（Ｃ）  剥離テープの貼り付けパターン例の説明図である。
【図４】温水マット上にフローリング床材を貼り付ける直前の説明図である。
【図５】フローリング床材を貼り付けた状態とフローリング床材に丸ノコを利用して切り込み溝を入れている状態の説明図である。
【図６】フローリング床材を剥がし取っている状態の説明図である。
【図７】剥離シート上から剥離テープを剥がして除去している状態の説明図である。
【発明を実施するための形態】
【第１実施形態】
【００１７】
本実施形態は、温水式床暖房装置であって、請求項１に記載した発明に対応しており、図１〜図４に基づいて詳細に説明する。符号の１は発泡ポリスチレン製のパネル板の表面に断面Ｕ字状の配管溝３を形成し、この配管溝３内に温水パイプ２を配管した構造のマット本体、４は、前記マット本体１の上面に粘着剤５を用いて貼り付けたアルミニュウム箔製の放熱シートである。
【００１８】
６は、上記放熱シート４の表面に粘着剤７により貼り付けたポリエチレンフィルム製の剥離シート、８はこの剥離シート６の表面に図３（Ａ）に示すように粘着剤９によりストライプ状に貼り付けたアルミニュム箔製の剥離テープである。
【００１９】
なお、この剥離テープ８は、伝熱性が良好な材質のものであれば、アルミニュウム箔以外のものであっても良い。又、貼り付けパターンとしては、図３（Ｂ）に示すような平行傾斜パターン、あるいは図３（Ｃ）に示すような格子状パターン、その他斜めクロス状のパターン等としても良く、このパターンは任意である。
【００２０】
図１において、２ａは前記温水パイプ２に熱源機（図示せず）から送られて来た温水を分配し、かつ一巡して来た温水を集合して熱源機側へ返送するヘッダーである。
【第２実施形態】
【００２１】
本実施形態は、請求項２に記載した温水パイプ２内に冷媒発生機から送られて来た冷媒、例えば冷水を循環させることにより床冷房を行う実施形態であって、装置の構造は実施例１と同一である。
【第３実施形態】
【００２２】
本実施形態は、請求項２に記載した電熱ヒータを温水パイプ２に替えて配置し、電熱で床暖房を行う床暖房装置の実施形態であって、温水パイプ２が電熱ヒータに替った以外の装置の構造は実施例１と同一である。
【第４実施形態】
【００２３】
本実施形態は、請求項３に記載したフローリング床材の貼り替え方法であって、図４〜図７に基づいて詳細に説明する。図４は下面に緩衝材層１１を形成したフローリング床材１０を貼り付ける直前の状態、図５は貼り付けを終えた状態、図６はフローリング床材１０を剥がし取っている状態、図７は剥離テープを剥がして除去している状態を示すものである。
【００２４】
先ず、実施例１の冷暖房装置は、図４に示すように下地１３の表面に直貼りされていて、フローリング床材１０は、下面の緩衝材層１１の表面に接着剤１２を塗布し、この接着剤１２で剥離テープ８の表面に貼り付ける。この貼り付けた状態を図５に示す。但し、フローリング床材１０を貼り付けるための接着剤１２は、フローリング床材１０側ではなく、剥離テープ８側に塗布するようにしても良い。
【００２５】
次に、フローリング床材１０の貼り替えを行う場合には、図５に示すように、既設のフローリング床材１０の表面から、丸ノコ１４を用いてフローリング床材１０に小区画の切り込み溝１５を形成する。この時の切り込み溝１５の先端には、図５においてαで示すように僅かな切り残し（０．５〜１ｍｍ）を形成することにより、間違って剥離シート６あるいは放熱シート４側に傷をつけないように注意する。なお、この小区画の大きさは任意であるが、本実施例では３０ｃｍ角とした。
【００２６】
次に、図６に示すように、切り込み溝１５から小区画を単位としてフローリング床材１０を剥がすと、フローリング床材１０は、基本的には剥離テープ８上から剥がれ、剥離テープ８は剥離シート６側に残るので、この残った剥離テープ８は図７に示すように剥がして除去する。
【００２７】
新規にフローリング床材１０を貼り付ける際は、剥離シート６上に新規に剥離テープ８を粘着し、その上でフローリング床材１０の下面（緩衝材層１１）又は剥離テープ８の表面に接着剤１２を塗布し、フローリング床材１０を剥離テープ８上に接着して行うもので、手順は先に説明した図４及び図５の状態となる。
なお、図２、図４〜図７において、放熱シート４、粘着剤５、７、９、剥離シート６、剥離テープ８、緩衝材層１１、接着剤１２の厚み及び剥離シート６と接着剤１２間の間隔は、判り易くするために誇張した図解としてある。
【産業上の利用可能性】
【００２８】
１．温水式床暖房
２．電熱式床暖房
３．冷媒式床冷房
【符号の説明】
【００２９】
１．マット本体
２．温水パイプ
２ａ．ヘッダー
３．配管溝
４．放熱シート
５．粘着剤
６．剥離シート
７．粘着剤
８．剥離テープ
９．粘着剤
１０．フローリング床材
１１．緩衝材層
１２．接着剤
１３．下地
１４．丸ノコ
１５．切り込み溝
【図１】
0005464953.tif 000002
【図２】
0005464953.tif 000003
【図３】
0005464953.tif 000004
【図４】
0005464953.tif 000005
【図５】
0005464953.tif 000006
【図６】
0005464953.tif 000007
【図７】
0005464953.tif 000008